(57)【特許請求の範囲】
【請求項１】
アンテナからのＴＶ放送信号と妨害信号の混成信号を２つに分岐する分配回路と、前記分配回路で分岐された一方の混成信号の中からＴＶ放送信号を減衰させるトラップ周波数可変の第１のトラップフィルタと、前記第１のトラップフィルタを通過したレベルの高い妨害信号の中心周波数を検出するとともに、中心周波数に対応した第１のＶＴ電圧を発生する周波数検出部と、前記分配回路で分岐された他方の混成信号の中から妨害信号を減衰させるトラップ周波数可変の第２のトラップフィルタと、前記第２のトラップフィルタの後に設置された同調回路と、前記同調回路の後に設置され、バンド切替スイッチで選択・設定されたバンドに応じて第２のＶＴ電圧を発生するとともに、ＲＦ信号をＩＦ信号に変換するＲＦ／ＩＦ変換部とを備え、
第２のＶＴ電圧に基づいて前記第１のトラップフィルタの中心周波数と前記同調回路の中心周波数を制御するとともに、第１のＶＴ電圧によって前記第２のトラップフィルタの中心周波数を制御することを特徴とするＴＶ放送受信装置。
【請求項２】
前記周波数検出部は、検出したレベルの高い妨害信号の中心周波数に対応した第１のＶＴ電圧で前記第２のトラップフィルタの中心周波数を検出した妨害信号の中心周波数に等しく制御するとともに、
前記ＲＦ／ＩＦ変換部は、選択・設定されたバンドに応じた第２のＶＴ電圧で前記第１のトラップフィルタの中心周波数および前記同調回路の中心周波数を等しく制御することを特徴とする請求項１記載のＴＶ放送受信装置。
【請求項３】
前記周波数検出部から出力される第１のＶＴ電圧を前記第２のトラップフィルタに伝達する信号線の経路に設けたスイッチと、前記第２のトラップフィルタ側の前記信号線と接地間に挿入した抵抗器と、を備え、
前記バンド切替スイッチで選択・設定されたテレビのチャネルがＶＨＦのローバンド（１〜３ＣＨ）の時は、前記スイッチをオフにし、前記抵抗器を介して接地電位の第１のＶＴ電圧を前記第２のトラップフィルタに伝達することを特徴とする請求項１記載のＴＶ放送受信装置。
【請求項４】
選択されたチャネルのＴＶ放送信号からＦＭ放送信号等の妨害信号を除去してＴＶ放送信号を受信するＴＶ放送受信装置のチューニング方法であって、前記ＴＶ放送信号と前記妨害信号との混成信号を分岐するステップ（Ｓ１）と、選択したチャネルに対応したＶＴ電圧Ｖ２を発生するステップ（Ｓ２）と、前記ＶＴ電圧Ｖ２に基づいて第１のトラップフィルタを制御して一方の混成信号から前記ＴＶ放送信号を減衰させ、前記妨害信号を通過させるステップ（Ｓ３）と、前記ステップ（Ｓ３）の動作において得られた妨害信号の中から最大レベルの中心周波数を検出するステップ（Ｓ４）と、前記中心周波数の妨害信号に対応したＶＴ電圧Ｖ１を発生するステップ（Ｓ５）と、前記ＶＴ電圧Ｖ１に基づいて第２のトラップフィルタを制御して他方の混成信号から最大レベルの妨害信号を減衰させ、前記ＴＶ放送信号を通過させるステップ（Ｓ６）と、を備えたことを特徴とするＴＶ放送受信装置のチューニング方法。
【発明の詳細な説明】
【０００１】
【発明の属する技術分野】
本発明はトラップ周波数可変のトラップフィルタでＦＭ放送信号等の妨害信号を減衰させ、ＴＶ放送信号を良好に受信するＴＶ放送受信装置に関する。
【０００２】
【従来の技術】
従来のＴＶ放送受信装置において、アンテナからのＴＶ放送信号と、ＴＶ放送信号の受信の妨害となる妨害信号の混成信号から妨害信号を減衰させる方法としては、特定の周波数を減衰させる固定のトラップフィルタを用いて妨害信号を減衰させている。
【０００３】
同調回路は、選択したチャネルの周波数に同調させるので、希望するチャネル局のＴＶ放送信号を減衰させることなく通過させることができる。
【０００４】
一方、妨害信号に対しては、妨害信号の周波数に合わせた固定のトラップフィルタを用いて減衰させ、ＴＶ放送信号に影響を及ぼさないように構成されている。
【０００５】
また、従来のＴＶ放送受信装置は、「特許文献１」（高周波ユニット）に開示されているように、ＨＰＦ（ハイパスフィルタ）やトラップ回路をブースターの前段に配置し、妨害信号をブースターで増幅する前に、ＨＰＦ（ハイパスフィルタ）やトラップ回路で減衰させ、ＴＶ放送信号のみをブースターで増幅させるように構成し、妨害信号がＴＶ放送信号に影響を及ぼさないようにしている。
【０００６】
【特許文献１】
特開平７−１４７６５３号公報（図１参照）
【０００７】
【発明が解決しようとする課題】
従来のＴＶ放送受信装置は、妨害信号を減衰させるために特定周波数の固定トラップフィルタ（または固定トラップ回路）を採用しており、妨害信号の周波数が固定トラップフィルタの周波数から外れる場合には、妨害信号を減衰させることが期待できない課題がある。
【０００８】
また、国内のＴＶ放送の１チャネルは、９０ＭＨｚ〜９６ＭＨｚの周波数帯であり、ＴＶ放送受信の妨害信号となるＦＭ放送の周波数帯（７６ＭＨｚ〜９０ＭＨｚ）が近接しているため、一旦ＦＭ放送の周波数帯（７６ＭＨｚ〜９０ＭＨｚ）に合わせて固定トラップフィルタ（または固定トラップ回路）を設定した場合には、妨害信号とともにＴＶ放送の１チャネルのＴＶ放送信号も減衰させてしまい、固定トラップフィルタ（または固定トラップ回路）では対応できない課題がある。
【０００９】
この発明はこのような課題を解決するためになされたもので、その目的はＴＶ放送信号と妨害信号の混成信号から妨害信号を減衰させるとともに、異なる周波数の妨害信号に対しても柔軟に対応できる利便性の高いＴＶ放送受信装置を提供することにある。
【００１０】
【課題を解決するための手段】
前記課題を解決するためこの発明に係るＴＶ放送受信装置は、アンテナからのＴＶ放送信号と妨害信号の混成信号を２つに分岐する分配回路と、分配回路で分岐された一方の混成信号の中からＴＶ放送信号を減衰させるトラップ周波数可変の第１のトラップフィルタと、第１のトラップフィルタを通過したレベルの高い妨害信号の中心周波数を検出するとともに、中心周波数に対応した第１のＶＴ（Voltage Tuning）電圧を発生する周波数検出部と、分配回路で分岐された他方の混成信号の中から妨害信号を減衰させるトラップ周波数可変の第２のトラップフィルタと、第２のトラップフィルタの後に設置された同調回路と、同調回路の後に設置され、バンド切替スイッチで選択・設定されたバンドに応じて第２のＶＴ電圧を発生するとともに、ＲＦ信号をＩＦ信号に変換するＲＦ／ＩＦ変換部とを備え、第２のＶＴ電圧に基づいて第１のトラップフィルタの中心周波数と同調回路の中心周波数を制御するとともに、第１のＶＴ電圧によって第２のトラップフィルタの中心周波数を制御することを特徴とする。
【００１１】
この発明に係るＴＶ放送受信装置は、アンテナからのＴＶ放送信号と妨害信号の混成信号を２つに分岐する分配回路と、分配回路で分岐された一方の混成信号の中からＴＶ放送信号を減衰させるトラップ周波数可変の第１のトラップフィルタと、第１のトラップフィルタを通過したレベルの高い妨害信号の中心周波数を検出するとともに、中心周波数に対応した第１のＶＴ電圧を発生する周波数検出部と、分配回路で分岐された他方の混成信号の中から妨害信号を減衰させるトラップ周波数可変の第２のトラップフィルタと、第２のトラップフィルタの後に設置された同調回路と、同調回路の後に設置され、バンド切替スイッチで選択・設定されたバンドに応じて第２のＶＴ電圧を発生するとともに、ＲＦ信号をＩＦ信号に変換するＲＦ／ＩＦ変換部とを備え、第２のＶＴ電圧に基づいて第１のトラップフィルタの中心周波数と同調回路の中心周波数を制御するとともに、第１のＶＴ電圧によって第２のトラップフィルタの中心周波数を制御するので、レベルの高い妨害信号を検出することにより、混成信号から妨害信号を減衰させて所望のＴＶ放送信号を通過させることができ、異なる周波数の妨害信号に対しても柔軟に対応して利便性の向上を図ることができる。
【００１２】
また、この発明に係る周波数検出部は、検出したレベルの高い妨害信号の中心周波数に対応した第１のＶＴ電圧で第２のトラップフィルタの中心周波数を検出した妨害信号の中心周波数に等しく制御するとともに、ＲＦ／ＩＦ変換部は、選択・設定されたバンドに応じた第２のＶＴ電圧で第１のトラップフィルタの中心周波数および同調回路の中心周波数を等しく制御することを特徴とする。
【００１３】
この発明に係る周波数検出部は、検出したレベルの高い妨害信号の中心周波数に対応した第１のＶＴ電圧で第２のトラップフィルタの中心周波数を検出した妨害信号の中心周波数に等しく制御するとともに、ＲＦ／ＩＦ変換部は、選択・設定されたバンドに応じた第２のＶＴ電圧で第１のトラップフィルタの中心周波数および同調回路の中心周波数を等しく制御するので、妨害信号ならびにＴＶ放送信号を正確に検出することができ、混成信号から妨害信号のみを減衰させ、ＴＶ放送信号のみを取り出すことができる。
【００１４】
さらに、この発明に係るＴＶ放送受信装置は、周波数検出部から出力される第１のＶＴ電圧を第２のトラップフィルタに伝達する信号線の経路に設けたスイッチと、第２のトラップフィルタ側の信号線と接地間に挿入した抵抗器と、を備え、バンド切替スイッチで選択・設定されたテレビのチャネルがＶＨＦのローバンド（１〜３ＣＨ）の時は、スイッチをオフにし、抵抗器を介して接地電位の第１のＶＴ電圧を第２のトラップフィルタに伝達することを特徴とする。
【００１５】
この発明に係るＴＶ放送受信装置は、周波数検出部から出力される第１のＶＴ電圧を第２のトラップフィルタに伝達する信号線の経路に設けたスイッチと、第２のトラップフィルタ側の信号線と接地間に挿入した抵抗器と、を備え、バンド切替スイッチで選択・設定されたテレビのチャネルがＶＨＦのローバンド（１〜３ＣＨ）の時は、スイッチをオフにし、抵抗器を介して接地電位の第１のＶＴ電圧を第２のトラップフィルタに伝達するので、選択されたチャネルがＶＨＦのローバンド（１〜３ＣＨ）で妨害信号がＦＭ放送の周波数帯域の場合には、妨害信号を減衰させるトラップフィルタを動作させず、ＦＭ放送の周波数帯域の妨害信号を減衰させないことにより、ＶＨＦのローバンド（１〜３ＣＨ）のＴＶ放送信号の減衰を防止することができる。
【００１６】
また、この発明に係るＴＶ放送受信装置のチューニング方法は、選択されたチャネルのＴＶ放送電波からＦＭ放送電波等の妨害電波を除去してＴＶ放送電波を受信する方法であって、ＴＶ放送電波と妨害電波の混成信号を分岐するステップ（Ｓ１）と、選択したチャネルに対応したＶＴ電圧Ｖ2を発生するステップ（Ｓ２）と、ＶＴ電圧Ｖ2で一方の混成信号からＴＶ放送信号を減衰させ、妨害信号を通過させるステップ（Ｓ３）と、妨害信号の中から最大レベルの中心周波数を検出するステップ（Ｓ４）と、中心周波数の妨害信号に対応したＶＴ電圧Ｖ1を発生するステップ（Ｓ５）と、ＶＴ電圧Ｖ1で他方の混成信号から最大レベルの妨害信号を減衰させ、ＴＶ放送信号を通過させるステップ（Ｓ６）とを備えたことを特徴とする。
【００１７】
この発明に係るＴＶ放送受信装置のチューニング方法は、選択されたチャネルのＴＶ放送信号からＦＭ放送信号等の妨害信号を除去してＴＶ放送信号を受信するＴＶ放送受信装置のチューニング方法であって、前記ＴＶ放送信号と前記妨害信号との混成信号を分岐するステップ（Ｓ１）と、選択したチャネルに対応したＶＴ電圧Ｖ２を発生するステップ（Ｓ２）と、前記ＶＴ電圧Ｖ２に基づいて第１のトラップフィルタを制御して一方の混成信号から前記ＴＶ放送信号を減衰させ、前記妨害信号を通過させるステップ（Ｓ３）と、前記ステップ（Ｓ３）の動作において得られた妨害信号の中から最大レベルの中心周波数を検出するステップ（Ｓ４）と、前記中心周波数の妨害信号に対応したＶＴ電圧Ｖ１を発生するステップ（Ｓ５）と、前記ＶＴ電圧Ｖ１に基づいて第２のトラップフィルタを制御して他方の混成信号から最大レベルの妨害信号を減衰させ、前記ＴＶ放送信号を通過させるステップ（Ｓ６）と、を備えたので、混成信号から妨害信号を減衰させて所望のＴＶ放送信号を通過させることができ、異なる周波数の妨害信号に対しても柔軟に対応して利便性の向上を図ることができる。
【００１８】
【発明の実施の形態】
以下、この発明の実施の形態を添付図面に基づいて説明する。図１はこの発明に係るＴＶ放送受信装置の実施の形態基本ブロック構成図である。図１において、ＴＶ放送受信装置１は、アンテナ２、分配回路３、ＴＶ放送信号トラップフィルタ４、周波数カウンタ５、妨害信号トラップフィルタ６、同調回路７、ＲＦ／ＩＦ変換部８、スイッチ９、抵抗器Ｒを備える。
【００１９】
アンテナ２は、ＴＶ放送電波と、ＴＶ放送受信では妨害電波となるＦＭ放送電波などを取り込み、ＴＶ放送信号ＳTVと妨害信号ＳFMとからなる混成信号ＳTを分配回路３に供給する。
【００２０】
分配回路３は、アンテナ２から供給される混成信号ＳTを２つに分岐し、一方の混成信号ＳT1をＴＶ放送信号トラップフィルタ４に提供するとともに、他方の混成信号ＳT2を妨害信号トラップフィルタ６に提供する。
【００２１】
ＴＶ放送信号トラップフィルタ４は、トラップ周波数可変の第１のトラップフィルタを構成し、ＲＦ／ＩＦ変換部８から供給される選択したチャネル周波数ｆOに対応したＶＴ電圧Ｖ2（第２のＶＴ電圧）に基づいてトラップ周波数をチャネル周波数ｆOに設定し、混成信号ＳT1からＴＶ放送信号ＳTVを充分に減衰させ、妨害信号ＳFMを通過させて周波数カウンタ５に供給する。
【００２２】
周波数カウンタ５は、周波数検出部を構成し、ＴＶ放送信号トラップフィルタ４を通過したレベルの高い妨害信号ＳFMの中心周波数（妨害周波数ｆB）を検出するとともに、妨害周波数ｆBに対応したＶＴ電圧Ｖ1（第１のＶＴ電圧）を発生し、スイッチ９を介してＶＴ電圧Ｖ1（第１のＶＴ電圧）を妨害信号トラップフィルタ６に提供する。
【００２３】
妨害信号トラップフィルタ６は、トラップ周波数可変の第２のトラップフィルタを構成し、周波数カウンタ５からスイッチ９を介して提供される第１のＶＴ電圧であるＶＴ電圧Ｖ1に基づいてトラップ周波数を周波数カウンタ５が検出した妨害信号ＳFMの妨害周波数ｆBに設定し、混成信号ＳT2から妨害信号ＳMFを充分に減衰させ、ＴＶ放送信号ＳTVを通過させて同調回路７に供給する。
【００２４】
同調回路７は、ＲＦ／ＩＦ変換部８から供給される選択したチャネル周波数ｆOに対応したＶＴ電圧Ｖ2（第２のＶＴ電圧）に基づいて同調周波数をチャネル周波数ｆOに設定し、妨害信号トラップフィルタ６から供給されるＴＶ放送信号ＳTVをチャネル周波数ｆOに同調させ、同調信号ＳRFをＲＦ／ＩＦ変換部８に供給する。
【００２５】
ＲＦ／ＩＦ変換部８は、局部発振回路、ミキサー、バンド切替スイッチなどを備え、選択されたチャネルのチャネル周波数ｆOに基づいて第２のＶＴ電圧であるＶＴ電圧Ｖ2を発生し、ＶＴ電圧Ｖ2をＴＶ放送信号トラップフィルタ４および同調回路７に提供し、ＴＶ放送信号トラップフィルタ４および同調回路７の中心周波数をチャネル周波数ｆOに設定する。
【００２６】
また、ＲＦ／ＩＦ変換部８は、バンド切替スイッチからのスイッチ情報ＪSWをスイッチ９に供給し、スイッチ９をオン状態（実線表示）またはオフ状態（破線表示）に切り替え制御する。
【００２７】
さらに、ＲＦ／ＩＦ変換部８は、同調回路７から供給される同調信号ＳRF（ＲＦ信号）と局部発振回路からの局部発振信号とをミキサーで混合して、中間周波信号ＳIF（ＩＦ信号）に変換し、中間周波信号ＳIFを他の回路（図示せず）に提供する。
【００２８】
スイッチ９は、電子スイッチ等で構成し、周波数カウンタ５と妨害信号トラップフィルタ６を接続する信号線Ｌの経路に挿入し、ＲＦ／ＩＦ変換部８から供給されるスイッチ情報ＪSWに応じてオン状態（実線表示）またはオフ状態（破線表示）に切り替え、周波数カウンタ５から提供されるＶＴ電圧Ｖ1（第１のＶＴ電圧）を妨害信号トラップフィルタ６に供給、または遮断の切り替えをする。
【００２９】
抵抗器Ｒは、信号線Ｌの妨害信号トラップフィルタ６側と接地（ＧＮＤ）との間に接続し、スイッチ９がオフ状態（破線表示）の時、接地電位（０Ｖ）をＶＴ電圧Ｖ1（第１のＶＴ電圧）として妨害信号トラップフィルタ６に供給し、トラップ周波数を設定しない。
【００３０】
次に、ＴＶ放送受信装置１の動作について説明する。ＲＦ／ＩＦ変換部８のバンド切替スイッチで選択・設定されたバンド（チャネル）に応じてＶＴ電圧Ｖ2（第２のＶＴ電圧）を発生してＴＶ放送信号トラップフィルタ４に供給し、ＴＶ放送信号トラップフィルタ４のトラップ周波数をチャネル周波数ｆOに設定する。
【００３１】
ＴＶ放送信号トラップフィルタ４は、ＴＶ放送信号ＳTVと妨害信号ＳFMとの混成信号ＳT1から選択・設定されたチャネル周波数ｆOをトラップすることにより、ＴＶ放送信号ＳTVを減衰させ、妨害信号ＳFMを通過させる。
【００３２】
周波数カウンタ５は、ＴＶ放送信号トラップフィルタ４を通過した妨害信号ＳFMの最大レベルの中心周波数（妨害周波数ｆB）を検出し、妨害周波数ｆBに基づいてＶＴ電圧Ｖ1（第１のＶＴ電圧）を発生し、ＶＴ電圧Ｖ1（第１のＶＴ電圧）に基づいて妨害信号トラップフィルタ６のトラップ周波数を妨害周波数ｆBに設定する。
【００３３】
妨害信号トラップフィルタ６は、ＴＶ放送信号ＳTVと妨害信号ＳFMとの混成信号ＳT2から妨害周波数ｆBをトラップすることにより、妨害信号ＳFMを減衰させ、ＴＶ放送信号ＳTVを通過させる。
【００３４】
妨害信号トラップフィルタ６を通過したＴＶ放送信号ＳTVは、同調回路７で同調、ＲＦ／ＩＦ変換部８でＲＦ／ＩＦ変換が施され、中間周波信号ＳIFが他の回路（図示せず）に提供される。
【００３５】
図２はこの発明に係るトラップフィルタの一実施の形態動作イメージ図である。図２において、（ａ）図は分配回路３で分岐された混成信号ＳT1，ＳT2、（ｂ）図はＴＶ放送信号トラップフィルタ４のトラップ特性図、（ｃ）図は周波数カウンタ５で検出された妨害信号ＳMF、（ｄ）図は妨害信号トラップフィルタ６のトラップ特性図、（ｅ）図は同調回路７で同調されたＴＶ放送信号ＳTVを表わす。
【００３６】
妨害周波数ｆBの妨害信号ＳFMとチャネル周波数ｆOのＴＶ放送信号ＳTVの混成信号ＳT1がＶＴ電圧Ｖ2に基づいて設定されたチャネル周波数ｆOのトラップ周波数により、中心周波数ｆOのトラップ（減衰）特性でＴＶ放送信号ＳTVが充分に減衰され、妨害周波数ｆBの妨害信号ＳFMのみが通過される。
【００３７】
通過した妨害信号ＳFMの中心周波数（妨害周波数ｆB）が検出され、妨害周波数ｆBに対応したＶＴ電圧Ｖ1を発生し、ＶＴ電圧Ｖ1に基づいて設定された妨害周波数ｆBのトラップ周波数により、中心周波数ｆBのトラップ（減衰）特性で、妨害周波数ｆBの妨害信号ＳFMとチャネル周波数ｆOのＴＶ放送信号ＳTVとの混成信号ＳT2の妨害信号ＳFMが充分に減衰され、チャネル周波数ｆOのＴＶ放送信号ＳTVのみが通過される。
【００３８】
通過したＴＶ放送信号ＳTVは、ＶＴ電圧Ｖ2に基づいて設定されたチャネル周波数ｆOで同調処理され、チャネル周波数ｆOのＴＶ放送信号ＳTVが得られる。
【００３９】
このように、この発明に係るＴＶ放送受信装置１は、アンテナ２からのＴＶ放送信号ＳTVと妨害信号ＳFMの混成信号ＳTを２つに分岐する分配回路３と、分配回路３で分岐された一方の混成信号ＳT1の中からＴＶ放送信号ＳTVを減衰させるトラップ周波数可変の第１のトラップフィルタ（ＴＶ放送信号トラップフィルタ４）と、第１のトラップフィルタ４を通過したレベルの高い妨害信号ＳFMの中心周波数を検出するとともに、中心周波数に対応した第１のＶＴ電圧（ＶＴ電圧Ｖ1）を発生する周波数検出部（周波数カウンタ５）と、分配回路３で分岐された他方の混成信号ＳT2の中から妨害信号ＳFMを減衰させるトラップ周波数可変の第２のトラップフィルタ（妨害信号トラップフィルタ６）と、第２のトラップフィルタ６の後に設置された同調回路７と、同調回路７の後に設置され、バンド切替スイッチで選択・設定されたバンドに応じて第２のＶＴ電圧（ＶＴ電圧Ｖ2）を発生するとともに、ＲＦ信号をＩＦ信号に変換するＲＦ／ＩＦ変換部８とを備え、第２のＶＴ電圧（ＶＴ電圧Ｖ2）に基づいて第１のトラップフィルタ（ＴＶ放送信号トラップフィルタ４）の中心周波数ｆOと同調回路７の中心周波数ｆOを制御するとともに、第１のＶＴ電圧（ＶＴ電圧Ｖ1）によって第２のトラップフィルタ（妨害信号トラップフィルタ６）の中心周波数を制御するので、レベルの高い妨害信号ＳMFを検出することにより、混成信号ＳT2から妨害信号ＳMFを減衰させて所望のＴＶ放送信号ＳTVを通過させることができ、異なる周波数の妨害信号に対しても柔軟に対応して利便性の向上を図ることができる。
【００４０】
また、この発明に係る周波数検出部（周波数カウンタ５）は、検出したレベルの高い妨害信号ＳMFの中心周波数ｆOに対応した第１のＶＴ電圧（ＶＴ電圧Ｖ1）で第２のトラップフィルタ（妨害信号トラップフィルタ６）の中心周波数を検出した妨害信号ＳMFの中心周波数ｆBに等しく制御するとともに、ＲＦ／ＩＦ変換部８は、選択・設定されたバンドに応じた第２のＶＴ電圧（ＶＴ電圧Ｖ2）で第１のトラップフィルタ（ＴＶ放送信号トラップフィルタ４）の中心周波数ｆOおよび同調回路７の中心周波数ｆOを等しく制御するので、妨害信号ＳMFならびにＴＶ放送信号ＳTVを正確に検出することができ、混成信号ＳT2から妨害信号ＳMFのみを減衰させ、ＴＶ放送信号ＳTVのみを取り出すことができる。
【００４１】
前述の本実施の形態では、ＴＶ放送信号ＳTVと妨害信号ＳMFの周波数帯域が離れている場合について説明した。次に、ＴＶ放送信号ＳTVがＶＨＦのローバンド（１〜３ＣＨ）で、妨害信号ＳMFがＦＭ帯域の場合について説明する。
【００４２】
ＴＶ放送信号ＳTVの周波数帯域と妨害信号ＳMFの周波数帯域が近い場合であっても、周波数カウンタ５は、中心周波数ｆBがＴＶ放送信号ＳTVの中心周波数ｆOに近いＶＴ電圧Ｖ1を妨害信号トラップフィルタ６に供給し、トラップ周波数ｆBに設定する。
【００４３】
しかし、妨害信号トラップフィルタ６で、トラップ周波数ｆB（≒ｆO）に設定されると、ＦＭ帯域の妨害信号ＳMFが減衰されるが、選択したチャネルのＴＶ放送信号ＳTVも減衰されてしまう。
【００４４】
これに対応するため、ＴＶ放送信号ＳTVの周波数帯域ｆOと妨害信号ＳMFの周波数帯域ｆBが近い場合（ｆO≒ｆO）には、ＲＦ／ＩＦ変換部８から供給されるバンド切替情報ＪSWでスイッチ９をオフ状態（破線表示）にし、周波数カウンタ５から提供されるＶＴ電圧Ｖ1を遮断する。
【００４５】
スイッチ９がオフ状態（破線表示）になると、抵抗器Ｒを介して接地電位（０Ｖ）のＶＴ電圧Ｖ1（＝０Ｖ）が妨害信号トラップフィルタ６に供給されるため、トラップ周波数が設定されず、妨害信号トラップフィルタ６は、妨害信号ＳMFも減衰させることなく、ＴＶ放送信号ＳTVとともに通過させる。
【００４６】
このように、この発明に係るＴＶ放送受信装置１は、周波数検出部（周波数カウンタ５）から出力される第１のＶＴ電圧（ＶＴ電圧Ｖ1）を第２のトラップフィルタ（妨害信号トラップフィルタ６）に伝達する信号線Ｌの経路に設けたスイッチ９と、第２のトラップフィルタ側の信号線Ｌと接地間（ＧＮＤ）に挿入した抵抗器Ｒとを備え、バンド切替スイッチで選択・設定されたテレビのチャネルがＶＨＦのローバンド（１〜３ＣＨ）の時は、スイッチ９をオフにし、抵抗器Ｒを介して接地電位（０Ｖ）の第１のＶＴ電圧（ＶＴ電圧Ｖ1）を第２のトラップフィルタ（妨害信号トラップフィルタ６）に伝達するので、選択されたチャネルがＶＨＦのローバンド（１〜３ＣＨ）で妨害信号ＳFMがＦＭ放送の周波数帯域の場合には、妨害信号ＳMFを減衰させるトラップフィルタ（妨害信号トラップフィルタ６）を動作させず、ＦＭ放送の周波数帯域の妨害信号ＳMFを減衰させないことにより、ＶＨＦのローバンド（１〜３ＣＨ）のＴＶ放送信号ＳTVの減衰を防止することができる。
【００４７】
続いて、ＴＶ放送受信装置１のチューニング方法について説明する。図３はこの発明に係るＴＶ放送受信装置のチューニング方法の一実施の形態要部動作フロー図である。なお、動作フローは、図１を参照にして説明する。
【００４８】
図３において、ステップＳ１では、ＴＶ放送信号と妨害信号の混成信号を分岐する。なお、ステップＳ１の動作は、分配回路３が実行する。
【００４９】
ステップＳ２では、選択したチャネルに対応したＶＴ電圧Ｖ2を発生する。なお、ステップＳ２の動作は、ＲＦ／ＩＦ変換部８が実行する。
【００５０】
ステップＳ３では、ＶＴ電圧Ｖ２に基づいてＴＶ放送信号トラップフィルタ４を制御して一方の混成信号からＴＶ放送信号を減衰させ、妨害信号を通過させる。なお、ステップＳ３の動作は、ＴＶ放送信号トラップフィルタ４が実行する。
【００５１】
ステップＳ４では、前記ステップ（Ｓ３）の動作により得られた妨害信号の中から最大レベルの中心周波数を検出する。なお、ステップＳ４の動作は、周波数カウンタ５が実行する。
【００５２】
ステップＳ５では、中心周波数の妨害信号に対応したＶＴ電圧Ｖ1を発生する。なお、ステップＳ５の動作は、周波数カウンタ５が実行する。
【００５３】
ステップＳ６では、ＶＴ電圧Ｖ１に基づいて妨害信号トラップフィルタ６を制御して他方の混成信号から最大レベルの妨害信号を減衰させ、ＴＶ放送信号を通過させる。なお、ステップＳ６の動作は、妨害信号トラップフィルタ６が実行する。
【００５４】
このように、この発明に係るＴＶ放送受信装置のチューニング方法は、ＴＶ放送電波と妨害電波の混成信号を分岐するステップＳ１と、選択したチャネルに対応したＶＴ電圧Ｖ2を発生するステップＳ２と、ＶＴ電圧Ｖ2で一方の混成信号からＴＶ放送信号を減衰させ、妨害信号を通過させるステップＳ３と、妨害信号の中から最大レベルの中心周波数を検出するステップＳ４と、中心周波数の妨害信号に対応したＶＴ電圧Ｖ1を発生するステップＳ５と、ＶＴ電圧Ｖ1で他方の混成信号から最大レベルの妨害信号を減衰させ、ＴＶ放送信号を通過させるステップＳ６とを備えたので、混成信号から妨害信号を減衰させて所望のＴＶ放送信号を通過させることができ、異なる周波数の妨害信号に対しても柔軟に対応して利便性の向上を図ることができる。
【００５５】
【発明の効果】
以上説明したように、この発明に係るＴＶ放送受信装置は、アンテナからのＴＶ放送信号と妨害信号の混成信号を２つに分岐する分配回路と、分配回路で分岐された一方の混成信号の中からＴＶ放送信号を減衰させるトラップ周波数可変の第１のトラップフィルタと、第１のトラップフィルタを通過したレベルの高い妨害信号の中心周波数を検出するとともに、中心周波数に対応した第１のＶＴ電圧を発生する周波数検出部と、分配回路で分岐された他方の混成信号の中から妨害信号を減衰させるトラップ周波数可変の第２のトラップフィルタと、第２のトラップフィルタの後に設置された同調回路と、同調回路の後に設置され、バンド切替スイッチで選択・設定されたバンドに応じて第２のＶＴ電圧を発生するとともに、ＲＦ信号をＩＦ信号に変換するＲＦ／ＩＦ変換部とを備え、第２のＶＴ電圧に基づいて第１のトラップフィルタの中心周波数と同調回路の中心周波数を制御するとともに、第１のＶＴ電圧によって第２のトラップフィルタの中心周波数を制御するので、レベルの高い妨害信号を検出することにより、混成信号から妨害信号を減衰させて所望のＴＶ放送信号を通過させることができ、異なる周波数の妨害信号に対しても柔軟に対応して利便性の向上を図ることができる。
【００５６】
また、この発明に係る周波数検出部は、検出したレベルの高い妨害信号の中心周波数に対応した第１のＶＴ電圧で第２のトラップフィルタの中心周波数を検出した妨害信号の中心周波数に等しく制御するとともに、ＲＦ／ＩＦ変換部は、選択・設定されたバンドに応じた第２のＶＴ電圧で第１のトラップフィルタの中心周波数および同調回路の中心周波数を等しく制御するので、妨害信号ならびにＴＶ放送信号を正確に検出することができ、混成信号から妨害信号のみを減衰させ、ＴＶ放送信号のみを取り出すことができる。
【００５７】
さらに、この発明に係るＴＶ放送受信装置は、周波数検出部から出力される第１のＶＴ電圧を第２のトラップフィルタに伝達する信号線の経路に設けたスイッチと、第２のトラップフィルタ側の信号線と接地間に挿入した抵抗器と、を備え、バンド切替スイッチで選択・設定されたテレビのチャネルがＶＨＦのローバンド（１〜３ＣＨ）の時は、スイッチをオフにし、抵抗器を介して接地電位の第１のＶＴ電圧を第２のトラップフィルタに伝達するので、選択されたチャネルがＶＨＦのローバンド（１〜３ＣＨ）で妨害信号がＦＭ放送の周波数帯域の場合には、妨害信号を減衰させるトラップフィルタを動作させず、ＦＭ放送の周波数帯域の妨害信号を減衰させないことにより、ＶＨＦのローバンド（１〜３ＣＨ）のＴＶ放送信号の減衰を防止することができる。
【００５８】
また、この発明に係るＴＶ放送受信装置のチューニング方法は、選択されたチャネルのＴＶ放送信号からＦＭ放送信号等の妨害信号を除去してＴＶ放送信号を受信するＴＶ放送受信装置のチューニング方法であって、前記ＴＶ放送信号と前記妨害信号との混成信号を分岐するステップ（Ｓ１）と、選択したチャネルに対応したＶＴ電圧Ｖ２を発生するステップ（Ｓ２）と、前記ＶＴ電圧Ｖ２に基づいてＴＶ放送信号トラップフィルタ４を制御して一方の混成信号から前記ＴＶ放送信号を減衰させ、前記妨害信号を通過させるステップ（Ｓ３）と、前記ステップ（Ｓ３）の動作において得られた妨害信号の中から最大レベルの中心周波数を検出するステップ（Ｓ４）と、前記中心周波数の妨害信号に対応したＶＴ電圧Ｖ１を発生するステップ（Ｓ５）と、前記ＶＴ電圧Ｖ１に基づいて妨害信号トラップフィルタ６を制御して他方の混成信号から最大レベルの妨害信号を減衰させ、前記ＴＶ放送信号を通過させるステップ（Ｓ６）とを備えたので、混成信号から妨害信号を減衰させて所望のＴＶ放送信号を通過させることができ、異なる周波数の妨害信号に対しても柔軟に対応して利便性の向上を図ることができる。
【図面の簡単な説明】
【図１】この発明に係るＴＶ放送受信装置の実施の形態基本ブロック構成図
【図２】この発明に係るトラップフィルタの一実施の形態動作イメージ図
【図３】この発明に係るＴＶ放送受信装置のチューニング方法の一実施の形態要部動作フロー図
【符号の説明】
１  ＴＶ放送受信装置
２  アンテナ
３  分配回路
４  ＴＶ放送信号トラップフィルタ（第１のトラップフィルタ）
５  周波数カウンタ（周波数検出部）
６  妨害信号トラップフィルタ（第２のトラップフィルタ）
７  同調回路
８  ＲＦ／ＩＦ変換部
９  スイッチ
Ｒ  抵抗器
Ｌ  信号線
ＳTV  ＴＶ放送信号
ＳFM  妨害信号
ＳT，ＳT1，ＳT2  混成信号
Ｖ1  ＶＴ電圧（第１のＶＴ電圧）
Ｖ2  ＶＴ電圧（第２のＶＴ電圧）
ｆO  チャネル周波数
ｆB  妨害周波数
【図１】
0004251917.tif 000002
【図２】
0004251917.tif 000003
【図３】
0004251917.tif 000004